(57)【要約】  【課題】  使用していない状態の懐中電灯の体積を効果的に縮小し、車内の充電座体での電力補充に便利であり、利便性と運転の安全性を向上する、車用懐中電灯の提供。 【解決手段】  胴部と、該胴部の前端に設置されるキャップと、該胴部の後端部に設置されるカバー蓋と、胴部の第一殼体と第二殼体の間に設置される照明セットを含み、該胴部は第一殼体とそれに対応する第二殼体を閉じ合わせて成り、該第一殼体の表面に第一滑動軌道を、該第二殼体表面に第二滑動軌道をそれぞれ開設し、該キャップは該胴部上の第一滑動軌道と第二滑動軌道に沿って動作し、該キャップに設けた管体後端に作用面を形成し、該カバー蓋に接触棒体を設け、該接触棒体上の弾性接触部材が充電座体内の第一接触点と導通し、該照明セットは基板を備え、該基板に該弾性接触部材と導通される第一導電部と、該充電座体内の第二接触点と導通される第二導電部と、該作用面に対面する接触スイッチを設ける。  【選択図】    図２ 
0003114354.tif 000002
【実用新案登録請求の範囲】
【請求項１】
車内の充電座体内に組み込むことができる車用懐中電灯であって、第一殼体とそれに対応する第二殼体を相互に閉じ合わせて成る胴部と、該胴部の前端部に設置される透光カバーを配して成るキャップと、該胴部の後端部に設置されるカバー蓋と、該胴部の該第一殼体と該第二殼体間に設置される照明セットとを含み、そのうち、該胴部の該第一殼体の表面に１つ以上の第一滑動軌道を開設し、該第二殼体表面に１つ以上の第二滑動軌道を開設し、且つ、該第一殼体上に通孔を設け、該キャップは管体を備え、この管体の前端部に透光カバーを封設し、さらに該管体の後端部に該第一滑動軌道に対応する第一滑動片及び該第二滑動軌道に対応する第二滑動片をそれぞれ延伸して設け、該キャップは胴部上の第一滑動軌道と第二滑動軌道に沿って動作自在に配し、且つ、該管体後端に作用面を形成し、該カバー蓋は一端に収容槽を備え、該胴部の該第一殼体と該第二殼体の後端部に嵌合し、該カバー蓋の中央に貫通孔を設け、該貫通孔内に接触棒体を設置し、且つ、該接触棒体の前端に該充電座体内の第一接触点との導通に用いる弾性接触部材を延伸して設け、該照明セットは１つ以上の充電ユニット、１つ以上のLEDランプを設けた１つ以上の基板を備え、且つ、該基板後端部を延伸して該弾性接触部材と導通される第一導電部を設け、且つ、該基板の片側を延伸して第二導電部を設け、該第一殼体の通孔から該第二導電部を穿出し、該充電座体内の第二接触点との導通に用い、さらに該基板上に該作用面に対面する接触スイッチを設けて構成され、該キャップを押し動かすことで、該作用面を動かして該接触スイッチを押し、該照明セットのLEDランプを導通して発光させる構成から成ることを特徴とする車用懐中電灯。
【請求項２】
前記第二滑動軌道内の両側に一組の位置決め溝をそれぞれ設け、且つ該第二滑動片上の両端に該位置決め溝に対応する一組の突起辺縁部をそれぞれ設け、該キャップが該胴部上で一定距離滑動すると、該第二滑動片の突起辺縁部が該位置決め溝に嵌入され、位置決め作用を形成する構成としたことを特徴とする請求項１に記載の車用懐中電灯。
【請求項３】
前記胴部外側に導体材質から構成される外筒を被せ、該第一殼体と該第二殼体を覆い、且つ、該第二導電部が該外筒と導通接続される構成としたことを特徴とする請求項１に記載の車用懐中電灯。
【請求項４】
前記外筒の少なくとも片側に弾性片を設け、該充電座体内の第二接触点に接触し導通する構成としたことを特徴とする請求項３に記載の車用懐中電灯。
【請求項５】
前記透光カバーが凸面鏡であり、該LEDランプが発する光線を該凸面鏡を介して集束させて照射する構成としたことを特徴とする請求項１に記載の車用懐中電灯。
【請求項６】
前記胴部の該第一殼体後端部表面に突起部を設け、且つ、該カバー蓋の収容槽内に該突起部に対応する湾曲スライド槽を設け、該カバー蓋の収容槽と該胴部の第一殼体と第二殼体を嵌合した後、該湾曲スライド槽により該突起部が位置決めされ、該カバー蓋が位置決め固定される構成としたことを特徴とする請求項１に記載の車用懐中電灯。
【請求項７】
前記カバー蓋の別の一端に凹み槽を設け、且つ、該貫通孔の両端がそれぞれ該収容槽と該凹み槽に通じ、該接触棒体が該収容槽に穿通され、該貫通孔を介して該凹み槽から穿出される構成としたことを特徴とする請求項１に記載の車用懐中電灯。
【請求項８】
前記凹み槽内に強力マグネットリングを設置した構成としたことを特徴とする請求項７に記載の車用懐中電灯。
【請求項９】
前記接触スイッチが、後側の第一接触片と前側の第二接触片を備え、且つ、該第二接触片が該キャップの作用面と接触し、該キャップが前方向に動かされると、該作用面が該第二接触片を動かして該第一接触片に接触させ、該照明セットを導通させる構成としたことを特徴とする請求項１に記載の車用懐中電灯。
【請求項１０】
前記第一殼体と第二殻体間に強力マグネット片を設置した構成としたことを特徴とする請求項１に記載の車用懐中電灯。
【請求項１１】
前記胴部側面に紐通し部を設置した構成としたことを特徴とする請求項１に記載の車用懐中電灯。
【考案の詳細な説明】
【技術分野】
【０００１】
本考案は車用懐中電灯に関し、詳細には、自動車の車内で照明を提供し、車内の充電座体で電力を補充でき、且つ、特殊な構造により使用していない状態の懐中電灯の体積を効果的に縮小し、空間の占用率を下げ、容易に収納できる、車用懐中電灯に関する。
【背景技術】
【０００２】
現代人は生活の品質を重視するため、自動車を選んだり、購入したり、また愛車の設備を購入したりするとき、操作性と快適さだけでなく、車内のオプション設備も重視するようになった。しかし、夜間の運転や乗車は、外界環境が暗いため、運転者や乗客が車内で物品を探したり、車内のエアコンやステレオを調節したり、音楽ディスクを入れ替えたり、食べ物を手に取ったり等の作業を行う必要があるとき、往々にして使用者が車内環境を照らし、車内で作業を行うための輔助光源が必要となる。
【０００３】
車内における輔助光源の不足問題を解決するため、現在は車内天井にランプが配置されているが、このランプは固定式であり、光源が上から下に向かって照射されるため、多くの死角ができ、充分な照射を得ることはできず、且つ、使用者が光のない野外で下車して活動する必要がある場合、このランプでは輔助照明を得ることができない。
【０００４】
また、一部の使用者は車内に懐中電灯を携帯し、車内や下車後の光源のない環境下で輔助照明を得ているが、一般的な懐中電灯の輔助照明光源はほとんどが電池に頼っており、使用の途中で電力が消耗してしまうと補充することができない。
【０００５】
現在市場には車内のシガレットライター接続部を充電座体として採用した車用の懐中電灯充電が提供されているが、一般的な懐中電灯の体積は大きすぎ、また一般的なシガレットライター接続部のほとんどはギアレバーのすぐそばに配置されており、懐中電灯の充電過程において空間が占用され、車の走行操作の妨げになり、運転の危険が増してしまうことさえある。
【０００６】
本考案は上述の従来の車用懐中電灯における実際の使用時の欠点に鑑みて、且つ、考案者個人の関連産業における長年の開発実務経験に基づき研究を重ねて生み出された、新たな車用懐中電灯を考案するものである。
【考案の開示】
【考案が解決しようとする課題】
【０００７】
本考案の主な目的は、特殊な構造により、使用していない状態の懐中電灯の体積を効果的に縮小し、車内の充電座体での電力補充に便利であり、利便性と運転の安全性を向上する、車用懐中電灯を提供することにある。
【課題を解決するための手段】
【０００８】
上述の目的を達するため、本考案は、胴部と、該胴部の前端に設置されるキャップと、該胴部の後端部に設置されるカバー蓋と、胴部の第一殼体と第二殼体の間に設置される照明セットを含み、そのうち、該胴部は第一殼体とそれに対応する第二殼体を相互に閉じ合わせて成り、該第一殼体の表面に１つ以上の第一滑動軌道を開設し、該第二殼体表面に１つ以上の第二滑動軌道を開設し、且つ、該第一殼体上に通孔を設け、該キャップは管体を備え、この管体の前端に透光カバーを封設し、管体の後端には上述の第一滑動軌道に対応する第一滑動片及び上述の第二滑動軌道に対応する第二滑動片をそれぞれ延伸して設け、該キャップは胴部上の第一滑動軌道と第二滑動軌道に沿って動作し、且つ、該管体後端に作用面を形成し、該カバー蓋は一端に収容槽を備え、上述の胴部の第一殼体と第二殼体の後端部に嵌合され、該カバー蓋の中央に貫通孔を設け、この貫通孔内に接触棒体を設置し、且つ、この接触棒体の前端に充電座体内の第一接触点との導通に用いる弾性接触部材が延伸して設けられ、該照明セットは１つ以上の充電ユニット、１つ以上のLEDランプを設けた１つ以上の基板を備え、且つ、この基板後端部を延伸して該弾性接触部材と導通される第一導電部を設け、且つ、この基板の片側を延伸して第二導電部を設け、第一殼体の通孔からこの第二導電部を穿出し、該充電座体内の第二接触点との導通に用い、さらに該基板上に上述の作用面に対面する接触スイッチを設けて構成される。
【０００９】
上述の構造により、一般に車内に設置されている充電座体内に組み込んで充電し、使用時には直接充電座体から取り出してキャップを押し動かし、作用面を介して接触スイッチが押されると、照明セットのLEDランプが導通されて発光し、使用者に補助照明を提供することができる。
【考案の効果】
【００１０】
以下の実施例から分かるように、本考案には以下のような利点がある。
１．本考案のうち第一殼体とそれに対応する第二殼体を相互に閉じ合わせて成る胴部とキャップの設置により、使用しない状態の懐中電灯の体積を効果的に縮小することができる。
２．本考案は車内の充電座体を利用して電力の補充ができ、利便性を得ることができる。
３．本考案はカバー蓋底部の強力マグネットリングを利用して懐中電灯を任意の場所に固定することができ、使用者は輔助光源を一定位置に固定して使用でき、自由になった両手で作業ができる。    
【考案を実施するための最良の形態】
【００１１】
本考案の構造、使用及びその特徴についてより明確に詳しく認識し、理解を深めてもらうため、以下、具体的な実施例と図面に基づき詳細に説明する。
【００１２】
図１、図２、図３に示すように、本考案は主に胴部１、キャップ２、カバー蓋３、照明セット４、外筒５から構成される。そのうち、図２、図３、図４に示すように、胴部１は第一殼体１１とそれに対応する第二殼体１２を閉じ合わせて成り、この第一殼体１１の表面に１つ以上の第一滑動軌道１１１を開設し、第二殼体１２表面に１つ以上の第二滑動軌道１２１を開設し、且つ、この第二滑動軌道１２１内の両端に一組の位置決め溝１２２をそれぞれ設け、また第一殼体１１上の適切な位置に通孔１１２を設け、さらに胴部１の第一殼体１１後端部表面に突起部１１３を設ける。
【００１３】
図２、図３、図７、図８、図９、図１０、図１４、図１５にそれぞれ示すように、キャップ２は上述の胴部１の前端に設置され、このキャップ２は管体２１を備え、この管体２１前端部に凸レンズで構成する透光カバー２２を封設し、この管体２１の後端部に上述の第一滑動軌道１１１に対応する第一滑動片２３及び上述の第二滑動軌道１２１に対応する第二滑動片２４をそれぞれ延伸して設け、このキャップ２が胴部１上の第一滑動軌道１１１と第二滑動軌道１２１に沿って動作し、且つ、このキャップ２の第二滑動片２４上の両端に該位置決め溝１２２に対応する突起辺縁部２４１をそれぞれ設け、さらに、管体２１の後端部に作用面２５を形成する。
【００１４】
図２、図３、図４、図５、図６、図１３にそれぞれ示すように、カバー蓋３は一端に上述のキャップ２の第一殼体１１と第二殼体１２後端部を嵌合するための収容槽３１を備え、この収容槽３１内にさらに突起部１１３に対応する湾曲スライド槽３１１を設け、カバー蓋３の収容槽３１と胴部１の第一殼体１１と第二殼体１２を嵌合した後、この湾曲スライド槽３１１により突起部１１３が位置決めされ、カバー蓋３が位置決めされる。また、このカバー蓋３の別の一端に凹み槽３２を設け、且つ、カバー蓋３の中央に貫通孔３３を開設し、この貫通孔３３の両端が収容槽３１と凹み槽３２にそれぞれ通じており、この貫通孔３３内にさらに接触棒体３４を設置し、この接触棒体３４は収容槽３１から貫通孔３３を介して凹み槽３２から穿出され、その前端部に弾性接触部材３４１を延伸して設け、充電座体６内の第一接触点６１との導通に用いると共に、凹み槽３２内にさらに強力マグネットリング３５を設置する。
【００１５】
図２、図３、図４、図５、図６、図１３、図１４、図１５にそれぞれ示すように、照明セット４は上述の胴部１内の第一殼体１１と第二殼体１２の間に設置され、この照明セット４は少なくとも基板４１を備え、この基板上に１つ以上の充電ユニット４２と、１つ以上のLEDランプ４３を設置すると共に、この基板４１の後端部を延伸して弾性接触部材３４１と導通される第一導電部４４を設け、且つ、この基板４１の片側を延伸して第二導電部４５を設け、この第二導電部４５を第一殼体１１の通孔１１２から穿出し、充電座体６内の第二接触点62に接触して導通させるために用いる。さらに、この基板４１上に上述の作用面２５に対応する接触スイッチ４６を設置し、この接触スイッチ４６は後ろ側の第一接触片４６１と前側の第二接触片４６２を備え、且つ、この第二接触片４６２がキャップ２の作用面２５の隣に位置し、キャップ２を前方向へ動かすと、この第二接触片４６２と第一接触片４６１が接触し、照明セット４が導通される。
【００１６】
図１、図４、図６、図１１、図１２、図１２Aに示すように、外筒５は導体材質から構成され、胴部１の外側に被せられ、第一殼体１１と該第二殼体１２を包み込むために用いられると共に、上述の第二導電部４５がこの外筒５に接触し、且つ、この外筒５の両側に弾性片５１をそれぞれ設け、充電座体６内の第二接触点６２との接触導通に用いる。
【００１７】
上述の構造により、図１、図２、図３、図４、図６、図７、図８、図９、図１０、図１４、図１５、図１６、図１７に示すように、一般的な車内に設置された充電座体６内に組み込むことができ、この充電座体６の口径は同じでないことがあるため、口径が大きな充電座体６の場合は、外筒５上の弾性片５１とカバー蓋３の接触棒体３４を充電座体６内の第一接触点６１、第二接触点６２に接触させ、照明セット４内の充電ユニット４２に充電を行わせ、充電完了後、使用者は直接充電座体６から懐中電灯を取り出し、直接前方向へキャップ２を押し動かすと、キャップ２が胴部１の第一殼体１１上の第一滑動軌道１１１と第二殼体１２上の第二滑動軌道１２１に沿って動き、キャップ２の管体２１後端部の作用面２５が動いて、接触スイッチ４６の第二接触片４６２と第二接触片４６１を接触させ、照明セット４のLEDランプ４３が導通されて発光し、キャップ２前端部の透光カバー２２から照射され、使用者の補助照明として利用することができる。反対に、キャップ２が定位置にあるときは、第一接触片４６１、第二接触片
４６２が分離されてLEDランプが消灯する。さらに、キャップ２の滑動距離を調整することで、LEDランプ４３と透光カバー２２間の距離を調整し、光源の集束と光源の照射範囲を調整したり、光源をより集中させたりすることができる。キャップ２を適切な距離に調整し、さらに第二滑動片２４の突起辺縁部２４１を位置決め溝１２２に嵌入させてキャップ２を位置決めすることができる。使用者が車内で物品を探したり、作業をしたりするとき、カバー蓋３底部の強力マグネットリング３５を利用して懐中電灯を車内の適切な位置に磁力を利用して固定すると、使用者は自由になった両手で作業を完了することができ、懐中電灯の制御に手を煩わせる必要がない。
【００１８】
以上の説明は、本考案の最良の実施例に基づくものであり、本考案の実施の範囲を制限するものではなく、本考案の請求の範囲及び明細書の内容に基づく簡単な同等効果を得る変化や修飾はすべて本考案の特許の範囲に含まれるものとみなす。
【００１９】
以上、本考案の技術的構造について詳細に述べてきたが、本考案の構造は確実に利便性と運転の安全性という目的を達することができ、且つ、これまで業界における関連製品には見受けられないものであるため、実用新案登録出願の要件を満たしており、特許法の規定に基づき、ここに実用新案登録の出願をするものである。
【図面の簡単な説明】
【００２０】
【図１】本考案の立体外観図である。
【図２】本考案の立体分解図である。
【図３】本考案を別の角度から見た立体分解図である。
【図４】本考案のカバー蓋と胴部の立体分解図である。
【図５】本考案のカバー蓋と強力マグネットリングの立体分解図である。
【図６】本考案の懐中電灯と充電座体の立体図である。
【図７】本考案のキャップを動かす前の状態を示す立体図である。
【図８】本考案のキャップを動かす動作を示す立体図である。
【図９】図７を別の角度から見た立体図である。
【図１０】図８を別の角度から見た立体図である。
【図１１】本考案の外筒を被せる動作を示す立体分解図である。
【図１２】本考案の外筒を被せた状態を示す側面断面図である。
【図１２Ａ】本考案の第二導電部と外筒の接触を示す部分拡大断面図である。
【図１３】本考案のカバー蓋と胴部の立体図である。
【図１４】本考案の接触スイッチの接触前の状態を示す側面断面図である。
【図１５】本考案の接触スイッチの接触動作を示す側面断面図である。
【図１６】本考案の照射範囲を示す立体外観図である。
【図１７】本考案の照射範囲の調整動作を示す立体外観図である。
【図１８】本考案の別の実施例を示す立体外観図である。
【図１９】本考案のさらに別の実施例を示す立体外観図である。
【符号の説明】
【００２１】
１        胴部                        
１１      第一殼体
１１１    第一滑動軌道            
１１２    通孔
１１３    突起部                  
１１４    強力マグネット片
１２      第二殼体                  
１２１    第二滑動軌道
１２２    位置決め溝                  
１３      紐通し部
２        キャップ                        
２１      管体
２２      透光カバー                  
２３      第一滑動片
２４      第二滑動片                
２４１    突起辺縁部
２５      作用面                    
３        カバー蓋
３１      収容槽                    
３１１    湾曲スライド槽
３２      凹み槽                    
３３      貫通孔
３４      接触棒体                  
３４１    弾性接触部材
３５      強力マグネットリング                  
４        照明セット
４１      基板                      
４２      充電ユニット
４３      LEDランプ                    
４４      第一導電部
４５      第二導電部                
４６      接触スイッチ
４６１    第一接触片              
４６２    第二接触片
５        外筒                        
５１      弾性片
６        充電座体                      
６１      第一接触点
６２      第二接触点    
【図１】
0003114354.tif 000003
【図２】
0003114354.tif 000004
【図３】
0003114354.tif 000005
【図４】
0003114354.tif 000006
【図５】
0003114354.tif 000007
【図６】
0003114354.tif 000008
【図７】
0003114354.tif 000009
【図８】
0003114354.tif 000010
【図９】
0003114354.tif 000011
【図１０】
0003114354.tif 000012
【図１１】
0003114354.tif 000013
【図１２】
0003114354.tif 000014
【図１２Ａ】
0003114354.tif 000015
【図１３】
0003114354.tif 000016
【図１４】
0003114354.tif 000017
【図１５】
0003114354.tif 000018
【図１６】
0003114354.tif 000019
【図１７】
0003114354.tif 000020
【図１８】
0003114354.tif 000021
【図１９】
0003114354.tif 000022